【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
基地局において、モバイルデバイスに関連するエネルギーメトリックを識別するステップであって、前記エネルギーメトリックは、データの送信を処理するための前記モバイルデバイスによるエネルギー消費を示す情報を含む、ステップと、
前記送信を構成するために利用可能な1つまたは複数の変調およびコーディング方式(MCS)を識別するステップと、
前記送信のための前記モバイルデバイスによるエネルギー消費を前記エネルギーメトリックに少なくとも部分的に基づいて低減するMCSを識別するために、前記1つまたは複数の利用可能なMCSを評価するステップと、
前記基地局において、前記エネルギーメトリックと、前記送信のために前記モバイルデバイスによるエネルギー消費を低減する前記MCSとに少なくとも部分的に基づいて、前記基地局と前記モバイルデバイスとの間の送信を構成するステップと
を含む方法。
【請求項２】
前記モバイルデバイスに関連する前記エネルギーメトリックは、前記基地局と前記モバイルデバイスとの間の前記送信を構成することに関連する1つまたは複数のパラメータを含み、前記1つまたは複数のパラメータは、前記基地局と前記モバイルデバイスとの間の前記送信を処理するための前記モバイルデバイスによるエネルギー消費に影響を与える少なくとも1つのパラメータを含む、請求項1に記載の方法。
【請求項３】
前記モバイルデバイスの能力を識別するステップをさらに含み、前記送信は、前記モバイルデバイスの前記能力に少なくとも部分的に基づいて構成される、請求項1に記載の方法。
【請求項４】
前記モバイルデバイスからメッセージを受信するステップをさらに含み、前記メッセージは、前記モバイルデバイスの前記能力を示す情報を含む、請求項3に記載の方法。
【請求項５】
前記モバイルデバイスの前記能力は、前記モバイルデバイスによってサポートされる1つもしくは複数の送信モード(TM)、前記モバイルデバイスによってサポートされるMCS、前記モバイルデバイスによってサポートされる1つもしくは複数のキャリアアグリゲーション(CA)方式、前記モバイルデバイスの帯域幅能力、前記モバイルデバイスによってサポートされるフレーム構造、前記モバイルデバイスのカテゴリー、前記デバイスによってサポートされる干渉管理技法、前記モバイルデバイスによってサポートされる1つもしくは複数のデュプレックスモード、またはそれらの組合せのうちの少なくとも1つを含む、請求項4に記載の方法。
【請求項６】
前記エネルギーメトリックは、前記基地局がアクセスできるデータベースに記憶された情報に少なくとも部分的に基づいて決定される、請求項1に記載の方法。
【請求項７】
前記エネルギーメトリックに少なくとも部分的に基づいて、前記基地局と前記モバイルデバイスとの間の後続送信の構成を変更するかどうかを周期的に決定するステップをさらに含む、請求項1に記載の方法。
【請求項８】
利用可能なネットワークリソースを決定するステップをさらに含み、前記送信の構成は、前記利用可能なネットワークリソースに少なくとも部分的に基づいて決定される、請求項1に記載の方法。
【請求項９】
1つまたは複数の準動的パラメータおよび1つまたは複数の動的パラメータを識別するステップであって、前記1つまたは複数の準動的パラメータは、前記送信のスケジューリングと関係なく構成されたパラメータに対応し、前記1つまたは複数の動的パラメータは、前記送信のスケジューリングの間に構成されたパラメータに対応する、ステップと、
前記1つまたは複数の準動的パラメータ、前記1つまたは複数の動的パラメータ、および前記エネルギーメトリックに基づいて、前記送信の前記構成を決定するステップと
をさらに含む、請求項1に記載の方法。
【請求項１０】
前記1つまたは複数の準動的パラメータが前記1つまたは複数の動的パラメータに制約を課しているかどうかを決定するステップと、
前記1つまたは複数の準動的パラメータが前記1つまたは複数の動的パラメータに制約を課しているかどうかに基づいて、前記送信を構成するための前記1つまたは複数の動的パラメータを決定するステップと
を含む、請求項9に記載の方法。
【請求項１１】
前記1つまたは複数の動的パラメータは、前記送信に使用されるべきMCS、前記送信に使用されるべきリソースブロック割当て、前記送信に使用されるべきトランスポートブロックサイズ、前記送信に使用されるべきコーディングレート、ネットワークリソースの利用可能性、チャネル情報、またはそれらの組合せを含み、前記準動的パラメータは、送信モード、前記送信に関連するサービス品質、前記モバイルデバイスの能力、セルローディング情報、前記モバイルデバイスに関連するサービス情報、前記送信に関するターゲット信号対雑音干渉比(SINR)、前記送信に関するしきい値ブロックレベル誤り率(BLER)、またはそれらの組合せを含む、請求項9に記載の方法。
【請求項１２】
前記基地局と前記モバイルデバイスとの間の前記送信に関連するサービス品質(QoS)を決定するステップをさらに含み、前記基地局と前記モバイルデバイスとの間の前記送信は、前記決定されたQoSに少なくとも部分的に基づいて構成される、請求項1に記載の方法。
【請求項１３】
前記エネルギーメトリックに少なくとも部分的に基づいて、前記基地局と前記モバイルデバイスとの間の前記送信を処理するための前記モバイルデバイスによる第1のエネルギー消費を決定するステップと、
前記エネルギーメトリックに関係なく、前記基地局と前記モバイルデバイスとの間の送信を処理するための前記モバイルデバイスによる第2のエネルギー消費を決定するステップと、
前記第1のエネルギー消費と前記第2のエネルギー消費との間の差を決定するステップと、
前記第1のエネルギー消費と前記第2のエネルギー消費の間の前記差がしきい値を満たすかどうかを判定するステップと、
をさらに含む、請求項1に記載の方法。
【請求項１４】
前記基地局と前記モバイルデバイスとの間の前記送信は、前記第1のエネルギー消費と前記第2のエネルギー消費との間の前記差が前記しきい値を満たすときに、前記エネルギーメトリックに少なくとも部分的に基づいて構成される、請求項13に記載の方法。
【請求項１５】
前記基地局と前記モバイルデバイスとの間の前記送信は、前記第1のエネルギー消費と前記第2のエネルギー消費との間の前記差が前記しきい値を満たさないときに、前記エネルギーメトリックに関係なく構成される、請求項13に記載の方法。
【請求項１６】
前記基地局と前記モバイルデバイスとの間の前記送信を構成するステップは、リソースブロックの数を使用して前記送信をスケジューリングするステップを含み、前記送信のためにスケジューリングされるリソースブロックの前記数は、前記エネルギーメトリックに少なくとも部分的に基づいて決定される、請求項1に記載の方法。
【請求項１７】
前記基地局と前記モバイルデバイスとの間の前記送信を構成するステップは、前記基地局と前記モバイルデバイスとの間の前記送信に使用されるべきトランスポートブロックサイズを決定するステップをさらに含み、前記トランスポートブロックサイズは、前記エネルギーメトリックに少なくとも部分的に基づいて決定される、請求項1に記載の方法。
【請求項１８】
前記モバイルデバイスに関連する前記エネルギーメトリックは、前記モバイルデバイスによって提供される1つまたは複数のサービスに関連するメトリックである、請求項1に記載の方法。
【請求項１９】
前記モバイルデバイスは、モバイルフォン、車両、タブレット、コンピュータ、または機械のうちの少なくとも1つを含む、請求項1に記載の方法。
【請求項２０】
命令を記憶するコンピュータ可読記憶媒体であって、前記命令は、プロセッサによって実行されたときに、
モバイルデバイスに関連するエネルギーメトリックを識別するステップであって、前記エネルギーメトリックは、データの送信を処理するための前記モバイルデバイスによるエネルギー消費を示す情報を含む、ステップと、
前記送信を構成するために利用可能な1つまたは複数の変調およびコーディング方式(MCS)を識別するステップと、
前記送信のための前記モバイルデバイスによるエネルギー消費を前記エネルギーメトリックに少なくとも部分的に基づいて低減するMCSを識別するために、前記1つまたは複数の利用可能なMCSを評価するステップと、
前記エネルギーメトリックと、前記送信のために前記モバイルデバイスによるエネルギー消費を低減する前記MCSとに少なくとも部分的に基づいて、前記基地局と前記モバイルデバイスとの間の送信を構成するステップと
を含む動作を前記プロセッサに実行させる、コンピュータ可読記憶媒体。
【請求項２１】
前記動作は、前記モバイルデバイスの能力を識別することを含み、前記送信は、前記モバイルデバイスの前記能力に少なくとも部分的に基づいて構成される、請求項20に記載のコンピュータ可読記憶媒体。
【請求項２２】
前記動作は、
前記エネルギーメトリックに少なくとも部分的に基づいて、前記基地局と前記モバイルデバイスとの間の前記送信を処理するための前記モバイルデバイスにより消費されるエネルギの第1の量を決定することと、
前記エネルギーメトリックに関係なく、前記基地局と前記モバイルデバイスとの間の前記送信を処理するための前記モバイルデバイスにより消費されるエネルギの第2の量を決定することと、
エネルギーの前記第1の量とエネルギーの前記第2の量との間の差を決定することであって、前記基地局と前記モバイルデバイスとの間の前記送信は、エネルギーの前記第1の量とエネルギーの前記第2の量に少なくとも部分的に基づいて構成される、決定することと
を含む、請求項20に記載のコンピュータ可読記憶媒体。
【請求項２３】
モバイルデバイスに関連するエネルギーメトリックを識別するステップであって、前記エネルギーメトリックは、データの送信を処理するための前記モバイルデバイスによるエネルギー消費を示す情報を含む、ステップと、
前記送信を構成するために利用可能な1つまたは複数の変調およびコーディング方式(MCS)を識別するステップと、
前記送信を処理するための前記モバイルデバイスによるエネルギー消費を前記エネルギーメトリックに少なくとも部分的に基づいて低減するMCSを識別するために、前記1つまたは複数の利用可能なMCSを評価するステップと、
前記エネルギーメトリックと、前記送信を処理するための前記モバイルデバイスによるエネルギー消費を低減する前記MCSとに少なくとも部分的に基づいて、前記基地局と前記モバイルデバイスとの間の送信を構成するステップと
を行うように構成された少なくとも1つのプロセッサと、
前記プロセッサに結合されたメモリと
を含む装置。
【請求項２４】
前記少なくとも1つのプロセッサは、
前記エネルギーメトリックに少なくとも部分的に基づいて、前記基地局と前記モバイルデバイスとの間の前記送信を処理するための前記モバイルデバイスによる第1のエネルギー消費を決定することと、
前記エネルギーメトリックに関係なく、前記基地局と前記モバイルデバイスとの間の送信を処理するための前記モバイルデバイスによる第2のエネルギー消費を決定することと、
前記第1のエネルギー消費と前記第2のエネルギー消費との間の差を決定することであって、前記基地局と前記モバイルデバイスとの間の前記送信は、前記第1のエネルギー消費および前記第2のエネルギー消費の差に少なくとも部分的に基づいて構成される、決定することと
を行うように構成される、請求項23に記載の装置。
【請求項２５】
前記少なくとも1つのプロセッサは、
前記送信を構成するための1つまたは複数の準動的パラメータを決定することと、
前記1つまたは複数の準動的パラメータが前記送信を構成するための1つまたは複数の動的パラメータに制約を課しているかどうかを決定することと、
前記1つまたは複数の準動的パラメータが前記1つまたは複数の動的パラメータに制約を課しているかどうかに基づいて、前記送信を構成するための前記1つまたは複数の動的パラメータを決定することと、
前記1つまたは複数の準動的パラメータ、前記1つまたは複数の動的パラメータ、および前記エネルギーメトリックに基づいて、前記送信の前記構成を決定することと
を行うように構成される、請求項23に記載の装置。
【請求項２６】
前記1つまたは複数の動的パラメータは、前記送信に使用されるべきMCS、前記送信に使用されるべきリソースブロック割当て、前記送信に使用されるべきトランスポートブロックサイズ、前記送信に使用されるべきコーディングレート、ネットワークリソースの利用可能性、チャネル情報、またはそれらの組合せを含み、前記準動的パラメータは、送信モード、前記送信に関連するサービス品質、前記モバイルデバイスの能力、セルローディング情報、前記モバイルデバイスに関連するサービス情報、前記送信に関するターゲット信号対雑音干渉比(SINR)、前記送信に関するしきい値ブロックレベル誤り率(BLER)、またはそれらの組合せを含む、請求項25に記載の装置。
【請求項２７】
モバイルデバイスに関連するエネルギーメトリックを識別するための手段であって、前記エネルギーメトリックは、データの送信を処理するための前記モバイルデバイスによるエネルギー消費を示す情報を含む、手段と、
前記送信を構成するために利用可能な1つまたは複数の変調およびコーディング方式(MCS)を識別するための手段と、
前記送信を処理するための前記モバイルデバイスによるエネルギー消費を前記エネルギーメトリックに少なくとも部分的に基づいて低減するMCSを識別するために、前記1つまたは複数の利用可能なMCSを評価するための手段と、
前記エネルギーメトリックと、前記送信を処理するための前記モバイルデバイスによるエネルギー消費を低減する前記MCSとに少なくとも部分的に基づいて、前記基地局と前記モバイルデバイスとの間の送信を構成するための手段と
と、
を含む装置。